【手続補正書】
【提出日】平成30年11月30日(2018.11.30)
【手続補正１】
【補正対象書類名】明細書
【補正対象項目名】００７９
【補正方法】変更
【補正の内容】
【００７９】
本明細書では、特定の例示的実施形態が詳細に説明されてきたが、当業者には、上述の説明を理解した上で、これらの実施形態の代替物、変更物、及び等価物を容易に想起することができる点が、理解されるであろう。したがって、本開示は、本明細書で上記された例示的実施形態に、過度に限定されるものではないことを理解されたい。特に、本明細書で使用するとき、端点による数値範囲の列挙は、その範囲内に包含される全ての数を含む（例えば、１〜５は、１、１．５、２、２．７５、３、３．８０、４、及び５を含む）ことが意図される。更には、本明細書で使用される全ての数は、用語「約」によって修飾されるものと想定される。更に、種々の例示的な実施形態が説明されてきた。これらの実施形態及び他の実施形態は、以下の特許請求の範囲に含まれるものである。
本発明の実施態様の一部を以下の〔態様１〕−〔態様２０〕に記載する。
〔態様１〕
１つ以上の材料試料を用意することと、
前記材料試料のそれぞれに対する１つ以上の材料特性を測定することであって、前記測定された材料特性が変動性を有する、ことと、
前記材料試料のそれぞれに対する前記測定された材料特性から１つ以上の初期ランダムビットストリームを導出することと、を含む、乱数を生成する方法。
〔態様２〕
ランダム性抽出アルゴリズムを前記導出された初期ランダムビットストリームに適用することによって、１つ以上の二次ランダムビットストリームを生成することを更に含む、態様１に記載の方法。
〔態様３〕
前記材料特性を測定することは、前記材料試料の表面用の画像をキャプチャすることを含む、態様１に記載の方法。
〔態様４〕
前記初期ランダムビットストリームを導出することは、前記材料試料の前記画像から、前記材料試料の前記表面のサブストラクチャ又はテクスチャに関連する特性の特徴の表面変動を決定することと、前記表面変動を前記初期ランダムビットストリームに変換することと、を更に含む、態様３に記載の方法。
〔態様５〕
前記表面変動を決定することは、前記画像の画素の強度値に基づいて前記画像を二進表現に変換することを更に含む、態様４に記載の方法。
〔態様６〕
前記材料特性は光学的特徴、音響的特徴、弾性的特徴、構造的特徴、電子的特徴、磁気的特徴、エレクトレック関連の特徴、又は機械的特徴を含み、材料特性の前記変動性は、自然に形成される、又は前記材料試料を作製するための特定の製造プロセスに関連する、態様１に記載の方法。
〔態様７〕
前記ランダム性抽出アルゴリズムは、ブロックパリティ抽出器を含む、態様２に記載の方法。
〔態様８〕
前記二次ランダムビットストリームは、独立同分布（ＩＩＤ）のランダムビットの検定に合格できる、態様２に記載の方法。
〔態様９〕
前記１つ以上の材料試料は、材料試料のバッチであり、前記材料試料のバッチの組成は、実質的に同じであり、実質的に同じプロセスによって製作される、態様１に記載の方法。
〔態様１０〕
前記材料試料のバッチからの前記初期ランダムビットストリームを合成して、合成されたランダムビットストリームに達することと、ランダム性抽出アルゴリズムを前記合成ランダムビットストリームに適用することによって前記二次ランダムビットストリームを生成することと、を更に含む、態様９に記載の方法。
〔態様１１〕
前記材料試料のバッチは、研磨剤、光学フィルム及び不織材からなる群から選択される、態様９に記載の方法。
〔態様１２〕
試料材料のバッチから乱数を抽出する方法であって、前記材料試料のバッチの前記組成は、実質的に同じで、実質的に同じプロセスによって製作され、前記方法は、
前記材料試料のそれぞれに対する１つ以上の材料特性を測定することであって、前記測定された材料特性が変動性を有する、ことと、
前記材料試料のそれぞれに対する前記測定された材料特性から１つ以上の初期ランダムビットストリームを導出することと、
前記材料試料のバッチの前記導出された初期ランダムビットストリームを合成して、合成されたランダムビットストリームに達することと、
ランダム性抽出アルゴリズムを前記合成ランダムビットストリームに適用することによって、１つ以上の乱数を生成することと、を含む方法。
〔態様１３〕
前記材料特性を測定することは、前記材料試料のバッチに対する表面画像をキャプチャすることを含む、態様１２に記載の方法。
〔態様１４〕
前記初期ランダムビットストリームを導出することは、前記表面画像から、特性の特徴の表面変動を決定することを更に含む、態様１３に記載の方法。
〔態様１５〕
前記表面変動を決定することは、前記画像の画素の強度値に基づいて前記画像を二進表現に変換することを更に含む、態様１４に記載の方法。
〔態様１６〕
前記材料特性は光学的特徴、音響的特徴、弾性的特徴、構造的特徴、電子的特徴、磁気的特徴、エレクトレック関連の特徴、又は機械的特徴を含む、態様１２に記載の方法。
〔態様１７〕
１つ以上の材料試料に対する１つ以上の材料特性を測定するように構成された測定構成要素であって、前記測定された材料特性が変動性を有する、測定構成要素と、
前記測定構成要素に機能的に接続され、１つ以上の初期ランダムビットストリームを前記材料試料のそれぞれに対する前記測定された材料特性から導出するように構成されたプロセッサを含む、計算構成要素と、を備える乱数発生器。
〔態様１８〕
前記プロセッサは、ランダム性抽出アルゴリズムを前記導出された初期ランダムビットストリームに適用することによって、１つ以上の二次ランダムビットストリームを生成するように構成された、態様１７に記載の乱数発生器。
〔態様１９〕
材料特性データを記憶するように構成されたメモリを更に備える、態様１７に記載の乱数発生器。
〔態様２０〕
前記測定構成要素は、前記材料試料の１つ以上の画像をキャプチャするように構成されたカメラを含む、態様１７に記載の乱数発生器。
【手続補正２】
【補正対象書類名】特許請求の範囲
【補正対象項目名】全文
【補正方法】変更
【補正の内容】
【特許請求の範囲】
【請求項１】
１つ以上の材料試料を用意することと、
前記材料試料のそれぞれに対する１つ以上の材料特性を測定することであって、前記測定された材料特性が変動性を有する、ことと、
前記材料試料のそれぞれに対する前記測定された材料特性から１つ以上の初期ランダムビットストリームを導出することと、
を含む、乱数を生成する方法。
【請求項２】
試料材料のバッチから乱数を抽出する方法であって、前記材料試料のバッチの前記組成は、実質的に同じで、実質的に同じプロセスによって製作され、前記方法は、
前記材料試料のそれぞれに対する１つ以上の材料特性を測定することであって、前記測定された材料特性が変動性を有する、ことと、
前記材料試料のそれぞれに対する前記測定された材料特性から１つ以上の初期ランダムビットストリームを導出することと、
前記材料試料のバッチの前記導出された初期ランダムビットストリームを合成して、合成されたランダムビットストリームに達することと、
ランダム性抽出アルゴリズムを前記合成ランダムビットストリームに適用することによって、１つ以上の乱数を生成することと、
を含む方法。
【請求項３】
１つ以上の材料試料に対する１つ以上の材料特性を測定するように構成された測定構成要素であって、前記測定された材料特性が変動性を有する、測定構成要素と、
前記測定構成要素に機能的に接続され、１つ以上の初期ランダムビットストリームを前記材料試料のそれぞれに対する前記測定された材料特性から導出するように構成されたプロセッサを含む、計算構成要素と、
を備える乱数発生器。